(57)【要約】【課題】  電池から供給された電力により動作する電池駆動型プリンタにおいて、必ずしもすべてのユーザが電池を満充電になるまで充電する必要はない。そこで、充電時に、プリンタの電池の有する電力で印刷可能な枚数を通知する。また、ユーザが希望する印刷枚数を印刷するのに必要となる電力までの充電賀完了したことをユーザに通知する。【解決手段】  印刷枚数設定充電モードを設け、ユーザが設定した印刷枚数に応じて電池の充電を行う。設定した印刷枚数を印刷できるだけの電力の充電が完了したら、その旨を伝えるための通知を行うので、ユーザは予め設定した所望の枚数を印刷できるだけの電力の充電が完了したことを知ることができ、ユーザが必要とする電力だけの充電を行えるようになる。【選択図】  図１０
2007168237.tif 000002
【特許請求の範囲】
【請求項１】
電池から供給された電力により動作する印刷装置であって、
前記電池を充電する充電手段と、
前記電池の電池電圧を測定する電池電圧測定手段と、
前記電池電圧測定手段により測定した電池電圧に基づいて印刷可能枚数を算出する算出手段とを有し、
前記充電手段による充電中に、前記算出手段により算出された印刷可能枚数を表示する表示手段と、
を有することを特徴とする印刷装置。
【請求項２】
さらに、印刷可能枚数の表示指示を入力するための指示入力手段を有し、
前記表示手段は、前記指示入力手段により印刷可能枚数の表示指示が入力されたことに応じて、印刷可能枚数を表示することを特徴とする請求項１に記載の印刷装置。
【請求項３】
電池から供給された電力により動作する印刷装置であって、
前記電池を充電する充電手段と、
印刷枚数を設定する設定手段と、
前記印刷枚数に応じた電力まで充電が行われたことを通知するための通知手段と、
を有することを特徴とする印刷装置。
【請求項４】
さらに、枚数を入力する入力ボタンを有し、
前記設定手段は、前記入力ボタンによって入力された枚数を前記印刷枚数として設定することを特徴とする請求項３に記載の印刷装置。
【請求項５】
さらに、印刷用紙を格納するための印刷用紙格納手段と、
前記印刷用紙格納手段に格納されている印刷用紙の枚数を検出する印刷用紙枚数検出手段とを有し、
前記設定手段は、前記印刷用紙枚数検出手段により検出された印刷用紙枚数を前記印刷枚数として設定することを特徴とする請求項３に記載の印刷装置。
【請求項６】
前記充電手段による充電中に、前記電池の電池電圧を測定する電池電圧測定手段を有し、
前記通知手段は、電池電圧測定手段により測定された電池電圧が前記印刷枚数を印刷するのに必要となる電池電圧以上のときに、前記設定手段により設定された枚数の印刷が可能になるまで充電が行われたことを通知することを特徴とする請求項３ないし５のいずれか１項に記載の印刷装置。
【請求項７】
前記充電手段による充電中に、前記電池の電池電圧を測定する電池電圧測定手段を有し、
前記電池電圧測定手段により測定した電池電圧から印刷可能枚数を算出する算出手段とを有し、
前記通知手段は、前記算出手段により算出された枚数が、前記設定手段により設定された印刷枚数以上のときに、前記設定手段により設定された枚数の印刷が可能になるまで充電が行われたことを通知することを特徴とする請求項３ないし５のいずれか１項に記載の印刷装置。
【請求項８】
前記印刷装置は、さらに表示画面を有し、
前記通知手段は、前記印刷枚数に応じた電力までの充電が行われたことを前記表示画面に表示させることを特徴とする請求項３ないし７のいずれか１項に記載の印刷装置。
【請求項９】
電池から供給された電力により動作し、前記電池を充電する充電手段を有する印刷装置の制御方法であって、
前記電池の電池電圧を測定する電池電圧測定工程と、
前記電池電圧測定工程で測定した電池電圧に基づいて印刷可能枚数を算出する算出工程とを有し、
前記充電手段による充電中に、前記算出工程で算出された印刷可能枚数を表示画面に表示する表示工程と、
を有することを特徴とする印刷装置の制御方法。
【請求項１０】
前記表示工程は、印刷可能枚数の表示のための指示が入力されたことに応じて、印刷可能枚数を表示することを特徴とする請求項９に記載の印刷装置の制御方法。
【請求項１１】
電池から供給された電力により動作し、前記電池を充電する充電手段を有する印刷装置の制御方法であって、
印刷枚数を設定する設定工程と、
前記印刷枚数に応じた電力まで充電が行われたことを通知するための通知工程と、
を有することを特徴とする印刷装置の制御方法。
【請求項１２】
前記設定工程は、ユーザによって入力された枚数を前記印刷枚数として設定することを特徴とする請求項１１に記載の印刷装置の制御方法。
【請求項１３】
印刷用紙を格納するための印刷用紙格納手段に格納されている印刷用紙の枚数を検出する印刷用紙枚数検出工程を有し、
前記設定工程は、前記印刷用紙枚数検出工程で検出された印刷用紙枚数を前記印刷枚数として設定することを特徴とする請求項１１に記載の印刷装置の制御方法。
【発明の詳細な説明】
【技術分野】
【０００１】
電池から供給された電力により動作する電池駆動型プリンタに関するものである。
【背景技術】
【０００２】
以下従来の残量表示に関する技術について説明する。
【０００３】
従来、電池駆動型の電子機器の充電時の電池状態表示方法としては、デジタルカメラの現状電圧、撮影可能枚数を表示する方法がある。特許文献１はデジタルカメラの充電時に充電電圧から撮影可能枚数を表示する特許である。
【０００４】
また、電池の残量表示機能を備えた電子機器としては、使用可能時間を表示する方法がある。特許文献２はバッテリの使用可能時間の表示方法である。
【特許文献１】特開２００５−１１０３７１号公報
【特許文献２】特開２００４−４８９８６号公報
【発明の開示】
【発明が解決しようとする課題】
【０００５】
最近、パーソナルコンピュータと接続しないプリンタが普及している。パーソナルコンピュータと接続する必要がないため、室外でのプリンタ使用の要求が高まっている。それに伴い、電池駆動が可能な携帯型プリンタが現れてきている。
【０００６】
プリンタは、従来のモバイル機器、例えばデジタルカメラ、携帯電話に比べると、大容量の電池を必要とする。そのため、プリンタとして使用不可能のレベルまで放電した電池を、満充電まで充電を行うと非常に長い時間充電を行う必要がある。
【０００７】
従来の充電器、もしくは充電機能の有したプリンタで充電する場合、表示部がないため、充電ランプの色表示によって、充電中と充電完了の２種類しか表示機能がなかった。
【０００８】
そのため、ユーザは電池を充電する場合、時間をかけて満充電になるまで充電を行う必要があった。
【０００９】
しかしながら、必ずしもすべてのユーザが電池を満充電になるまで充電する必要はない。ユーザによっては、充電時間短縮のため、所望の印刷枚数を印刷するのに必要となる電池電圧で充電を止めたい可能性がある。例えば、プリンタ内で印刷紙を保管している場合、保管している印刷紙をすべて印刷できるレベルまで電池を充電すれば十分と考える可能性が高い。
【００１０】
また、特許文献２では、電池残量を使用可能時間として表示することが開示されているが、プリンタにおいては使用可能時間より印刷可能枚数のほうが必要とされる。
【００１１】
本発明の目的は、プリンタの充電時に、ユーザが所望する印刷枚数を印刷するのに必要となる電力までの充電が完了したことをユーザに通知することである。
【００１２】
また、本発明の目的は、充電時に、電池の有する電力を、ユーザにわかりやすく通知することである。
【課題を解決するための手段】
【００１３】
このような課題を解決するため、本発明の印刷装置は次のような構成を備える、すなわち、
電池から供給された電力により動作する印刷装置であって、電池を充電する充電手段と、電池の電池電圧を測定する電池電圧測定手段と、電池電圧測定手段により測定した電池電圧に基づいて印刷可能枚数を算出する算出手段とを有し、充電手段による充電中に、算出手段により算出された印刷可能枚数を表示する表示手段と、を有することを特徴とする。
【００１４】
このような課題を解決するため、本発明の印刷装置は次のような構成を備える、すなわち、
電池から供給された電力により動作する印刷装置であって、電池を充電する充電手段と、印刷枚数を設定する設定手段と、印刷枚数に応じた電力まで充電が行われたことを通知するための通知手段と、を有することを特徴とする。
【発明の効果】
【００１５】
本発明によれば、充電中の電池の電池残量を、印刷可能枚数としてユーザに通知することができる。そのため、ユーザは、所望の印刷枚数を印刷するのに必要となる電力が充電されたことを確認できる。
【００１６】
また発明によれば、所望の枚数を印刷するのに必要となるだけの電力の充電が完了したことを通知することができる。そのため、大容量の電池を使用するプリンタであっても、ユーザが必要とする電力だけの充電を行えるようになり、充電時間を短くできる。よって、満充電まで非常に長い時間をかけて充電を行わなくても、ユーザが希望する電力までの充電が終わった時点で、室外に持ち出すことができる。
【発明を実施するための最良の形態】
【００１７】
（実施例１）
図１は、本発明の実施の形態に係るプリンタ１００の概観図である。
【００１８】
１０１はＬＣＤ等の表示画面で画像の表示や印刷設定画面の表示、また、充電時に充電モード設定画面の表示、印刷枚数の設定画面の表示、印刷可能な枚数の表示、充電完了等のメッセージの表示などを行う。
【００１９】
１０２〜１０６は入力ボタンで、プリンタの電源をＯＮさせるための電源ボタンや、印刷設定、充電時の印刷枚数設定を行うためのボタンである。ユーザは表示部１０１を見ながら、入力ボタン１０２〜１０６を用いて指示を入力し、プリンタ１００の操作を行う。
【００２０】
１０７は、デジタルカメラやパーソナルコンピュータ（ＰＣ）等の外部記憶装置とプリンタとを接続するための接続部で、ＵＳＢ（Ｕｎｉｖｅｒｓａｌ  Ｓｅｒｉａｌ  Ｂｕｓ）ケーブルで接続された外部記憶装置と通信し、印刷する画像や印刷ジョブを取得する。
【００２１】
１０８は、カードリーダーで、挿入された記憶媒体から記憶されている画像を読み込む。読み込んだ画像は、表示画面１０１に表示される。また、入力ボタンで印刷指示があったときは、表示画面に表示されている画像、もしくは、印刷指示がなされている画像が印刷処理される。
【００２２】
１０９は、印刷用紙を格納するための印刷用紙カードリッジである。
【００２３】
１１１はアダプタで、家庭用コンセントからのＡＣ電源をＤＣ電源に変換してプリンタへ供給する。
【００２４】
１１０は、プリンタを動作させるための電力を供給する電池ユニットである。電池ユニットは、アダプタ１１１から電力を充電することで、家庭用コンセントがないような場合でもプリンタ１００に電力を供給することができる。
【００２５】
図２は、本実施例に係るプリンタ１００のブロック図である。
【００２６】
２０１は制御部で、プリンタ１００全体の制御を行う。制御部２０１は、図示しないプログラムメモリから制御プログラムを読み取り、読み取ったプログラムに基づいて各部の制御を行う。
【００２７】
２０２はカードリーダー等の記憶媒体読み取り部で、挿入された記憶媒体２０３のデータを読み取る。
【００２８】
２０４は通信部で、接続部１０７に接続された、デジタルカメラやＰＣ、ＰＤＡ、ＨＤＤレコーダ等の画像供給装置と通信を行う。通信部２０４では、接続した画像供給装置から、画像データや印刷ジョブを取得し、取得したデータに基づいて印刷部で印刷を行う。本実施例ではＵＳＢケーブルによる有線接続としたが、他のケーブルによる有線接続や、無線接続にしてもよい。
【００２９】
２０５は印刷可能枚数算出部で、電池２１２の電池残量から印刷可能枚数を算出する。印刷可能枚数算出部２０５は、電池電圧測定部２０９から通知された電池２１２の電池電圧と、図示しないメモリに記憶してある電池電圧と印刷可能枚数の対応情報に基づき印刷可能枚数を計算する。
【００３０】
２０６は印刷部で、記憶媒体読み取り部２０２を介して記憶媒体２０３から読み取った画像データや、通信部２０４で画像供給装置から取得した画像データの印刷処理を行い印刷用紙印刷する。
【００３１】
２０７はユーザからのさまざまな指示を入力するための入力部で、ユーザは入力ボタン１０２〜１０６を用いて印刷設定や充電モード時の印刷枚数設定の入力をする。入力された指示は制御部に送信され、制御部は、入力された指示に応じて各部の制御を行う。
【００３２】
２０８は表示部で画像や印刷設定、充電モード設定や充電時の印刷枚数の設定の画面を表示画面１０１に表示させる。また、印刷可能枚数算出部２０５で算出した印刷可能枚数や充電が完了したことを示すメッセージ等を表示することもできる。そのため、電池２１２は何枚印刷できるだけの電力を有しているのか、電池の充電状態を簡単にユーザに通知することができる。
【００３３】
記憶媒体読み取り部２０２で読み取った画像データや、接続部で画像供給装置から取得した画像データは、制御部の制御に基づいて、表示部２０８に送信され表示画面１０１に表示されたり、印刷部２０６に送信され印刷処理が行われたりする。
【００３４】
２０９は電池電圧測定部で、電池部２１２の電池電圧を測定し、測定した電池電圧の値を印刷可能枚数算出部２０５へ通知する。
【００３５】
２１０は電源部でアダプタまたは電池部から供給された電力を、規定の電圧にレギュレートして、各ブロックに供給する。また、アダプタ２１４、電池部２１２からの電力を切り替える機能も有する。
【００３６】
２１１は、電源電圧測定部で電源部に供給された電源電圧を測定している。
【００３７】
２１２は電池、２１３は充電部である。充電部２１３は、アダプタ２１４から供給された電気エネルギー（電力）を電池２１２に蓄積させる。よって、プリンタ１００は、家庭用コンセントから電源をとらなくても、電池２１２に蓄えた電力を電源部２１０に供給することで、各ブロックに電力を供給し、動作が可能となる。
【００３８】
プリンタ１００ではこの電池２１２と充電部２１３が電池ユニットとなっており、プリンタ１００に着脱可能となるように構成しているが、電池部２１２と充電部２１３は、プリンタ１００の内部に組み込んでもよい。また、充電部だけ内部に組み込み、電池２１２だけプリンタ１００に着脱可能としてもよい。
【００３９】
２１４はアダプタで、家庭用コンセントからのＡＣ電源をＤＣ電源に変えてプリンタへ供給する。
【００４０】
２１５は印刷用紙枚数検出部で、印刷用紙カートリッジ１０９に保持されている印刷用紙の枚数を検出する。
【００４１】
プリンタ１００においての印刷時のフローについて説明する。
【００４２】
メモリカード等の記憶媒体に記憶されている画像を印刷する場合、ユーザはメモリカードをカードリーダ１０８に差し込む。メモリカード挿入されると、記憶媒体読み取り部は、メモリカードが挿入されたことを検知し、メモリカード内の画像データを読み出す。読み出された画像データは表示部２０８に送信され、表示部２０８において表示画面１０１に表示される。そして、ユーザは表示画面２０８を見ながら、入力ボタンを操作し、印刷したい画像の選択や印刷設定を行う。画像を選択が終わり、プリント開始の入力ボタンが操作されると、プリント開始指示が入力部に入力され、プリント選択された画像が画像読み取り部において再び読み出され、印刷部に送信される。
【００４３】
また、記憶媒体２０３に、画像だけでなく印刷ジョブも記憶されている場合は、記憶されている印刷ジョブに基づいて自動的に印刷対象となる画像を読み出し、印刷部に送信する。
【００４４】
接続部１０７に接続された画像供給装置からの画像を印刷する場合は、ユーザは画像供給装置のユーザインターフェースを用いて画像選択や印刷設定を行う。その後、画像供給装置において、プリント開始指示がなされると、画像供給装置から印刷ジョブや画像データが送信される。プリンタ１００の通信部２０４は、印刷ジョブや画像データを受信すると受信したデータを印刷部に送信する。
【００４５】
印刷部では、印刷設定や受信した印刷ジョブに基づいて画像データのリサイズや補正処理等を行い、その後、印刷データに変換し、印刷用紙カートリッジ１０９に保持されている印刷用紙に画像を印刷する。
【００４６】
第１の実施例の充電時のフローについて図９を参照して説明する。
【００４７】
これらの処理は制御部２０１の制御もとに行われる。
【００４８】
第１の実施例では、電池２１２を充電中に、ユーザからの電池残量表示の指示の入力に応じて、電池の残量を印刷可能枚数に変換して表示画面１０１に表示させることができる。ここで、印刷可能枚数とは、電池の有する電力で、あと何枚の用紙に画像を印刷することが可能であるかを表している。
【００４９】
まず、Ｓ１０では、プリンタ１００に電池部１１０とアダプタ１１１とが接続され、プリンタの電源がＯＦＦになっているときに充電が開始され、充電部２１３は、アダプタ２１４からの電力を電池２１２に充電する。
【００５０】
充電が開始されると、Ｓ１１では、充電中にユーザにより入力ボタンが操作され、印刷可能枚数表示の指示の入力があったかを検知する。印刷可能枚数表示の指示があった場合は、Ｓ１２に遷移し、現在の電池の電池残量から印刷可能枚数を算出して表示画面１０１に表示させる。この印刷可能枚数は印刷可能枚数算出部２０５によって計算される。印刷可能枚数算出部２０５は、例えば、図３のような電池電圧と印刷枚数の関係グラフをあらかじめ記憶保持している。印刷可能枚数算出部２０５では、電池電圧測定部２０９が測定した電池電圧と上記グラフを用いて、電池電圧を印刷可能枚数に換算する。その印刷枚数を表示部に送信し、表示画面１０１に印刷可能枚数を表示する。例えば、表示画面に図４のような表示をすることで、ユーザに印刷可能枚数を通知する。図４では、表示画面１０１に印刷可能枚数が表示され（４０１）、入力ボタン１０５を操作して４０２が選択されると、印刷可能枚数の表示が消える。表示を消すことで、画面の表示による電力の消費を防ぐことができ、より早く充電することができる。
【００５１】
Ｓ１３では、電池電圧測定部２０９で測定した電池２１２の電池電圧をもとに、満充電であるかをチェックする。満充電である場合は、Ｓ１４へ進み、充電が完了したことを表示画面に表示し、Ｓ１５で充電完了となり、充電部２１３による電池２１２の充電を終了する。また、満充電でない場合はＳ１１に遷移し、Ｓ１１、１２の処理を繰り返すので、充電中は随時、ユーザから入力部２０７に印刷可能枚数表示の指示があれば、充電中の電池２１２の印刷可能枚数を表示する。
【００５２】
このように上記実施例では、充電中に印刷可能枚数を表示するので、充電中に電池の充電状況を印刷枚数として通知することができる。よって、ユーザは、充電中に現在プリンタ（電池）は何枚の印刷が可能なだけの電力まで充電されているのかを簡単に知ることができる。よって、満充電まで非常に長い時間をかけて充電を行わなくても、ユーザが希望する電力までの充電が終わった時点ですぐに、室外に持ち出すことができる。
【００５３】
（実施例２）
第２の実施例である印刷枚数設定モード時の充電のフローについて図１０を参照して説明する。本実施例は、第１の実施例と同じ装置構成であるため、装置構成の説明は省略する。
【００５４】
まず、Ｓ２０では、Ｓ１０と同様に、プリンタ１００に電池部１１０とアダプタ１１１とが接続され、プリンタの電源がＯＦＦになっているときに充電が開始され、充電部２１３は、アダプタ２１４からの電力を電池２１２に充電する。
【００５５】
充電が開始されると、Ｓ２１では、充電中にユーザにより入力ボタンが操作され、印刷枚数設定充電モードの指示の入力があったかを検知する。印刷枚数設定充電モードの指示があった場合は、Ｓ２２に遷移し、表示画面１０１に図７のように印刷枚数設定画面を表示する。ユーザは入力ボタン１０６を操作して枚数７０１を入力し、入力ボタン１０５が押されると、制御部２０１は７０１に表示されている枚数を印刷枚数として設定する。Ｓ２１で、印刷枚数設定充電モードの指示の入力がなかった場合は、Ｓ２６に遷移する。
【００５６】
Ｓ２３において制御部２０１は、電池残量から算出された印刷可能枚数とＳ２２で設定した印刷枚数とを比較する。比較した結果、印刷可能枚数が印刷枚数以上であれば、Ｓ２２で設定した印刷枚数分の印刷が可能とるので、印刷枚数分の電力の充電が完了したと判断しＳ２４へ遷移する。また、印刷可能枚数が印刷枚数より小さい場合ば、Ｓ２２で設定した印刷枚数を印刷するだけの十分な電力が充電されていないので、印刷枚数分の充電は完了していないと判断され、Ｓ２３に遷移する。
【００５７】
Ｓ２４ではＳ２２で設定した印刷枚数を印刷するだけの十分な電力が充電されたことを図８のように通知する。続いてＳ２５では、このまま続けて満充電になるまで充電を行うかを、ユーザに選択させる。入力ボタン１０３が操作され８０１が選択されたときは、そのまま充電を続行し、Ｓ２６に進む。Ｓ２６では電池電圧測定部が測定した電圧から満充電になったかがチェックされる。満充電の場合は、満充電になったことをユーザに通知し（Ｓ２７）、充電部２１３は、充電を終了する。Ｓ２６で満充電でないと判断された場合は、Ｓ２１に遷移し、再びＳ２１〜Ｓ２５の処理を繰り返す。
【００５８】
また、Ｓ２５において、入力ボタン１０５が操作され８０２が選択された場合は、Ｓ２８に進み、充電部２１３は充電を終了する。
【００５９】
上記実施例では、印刷枚数を印刷するだけの十分な電力が充電されているか否かを、印刷可能枚数算出部２０５が算出した印刷可能枚数に基づいて判断したが、他の方法で判断してもよい。
【００６０】
例えば、印刷可能枚数算出部２０５が、図３のような電池電圧と印刷枚数の関係グラフを用いて、Ｓ２２で設定した印刷枚数を印刷するのに必要となる電池電圧を算出する。算出した電池電圧と電池電圧測定部で測定した電池電圧を比較し、測定した電池電圧が算出した電池電圧以上であれは、設定した印刷枚数分の電力の充電が完了したと判断するようにしてもよい。
【００６１】
このように本実施例では、ユーザが設定した印刷枚数に応じた電力の充電が完了したら、その旨を伝えるための通知を行うので、ユーザは予め設定した所望の枚数を印刷できるだけの充電が完了したことを簡単に知ることができる。また、予め設定した印刷枚数分の印刷に必要となる分だけの充電をすることができる。そのため、満充電になるまで充電しなくても、必要な分の電力だけ充電することができるので、充電時間を短くすることができる。よって、満充電まで非常に長い時間をかけて充電を行わなくても、ユーザが希望する電力までの充電が終わった時点で、室外に持ち出すことができる。
【００６２】
（実施例３）
第３の実施例であるカートリッジ用紙枚数モード時の充電のフローについて図１１を参照して説明する。本実施例は、第１の実施例と同じ装置構成であるため、装置構成の説明は省略する。
【００６３】
図１１のＳ３０、Ｓ３５、Ｓ３６、Ｓ３７、Ｓ３８の処理は、それぞれ、図１０のＳ２０、Ｓ２５、Ｓ２６、Ｓ２７、Ｓ２８の処理と同様であるので説明を省略する。
【００６４】
Ｓ３０で充電が開始されると、Ｓ３１では、充電中にユーザにより入力ボタンが操作され、用紙枚数充電モードの指示の入力があったかを検知する。用紙枚数充電モードの指示があった場合は、Ｓ３２に遷移し、用紙枚数充電モードの指示がない場合は、Ｓ３６へ遷移する。Ｓ３２では、印刷用紙枚数検出部２１５が印刷用紙カートリッジ１０９に保管されている印刷用紙の枚数を検出し、検出した印刷用紙の枚数を印刷枚数として設定する。
【００６５】
続いてＳ３３では、図２のＳ２３と同様に、電池２１２の電池残量から印刷可能枚数を算出し、印刷可能枚数とＳ３２で設定した印刷枚数とを比較する。比較した結果、印刷可能枚数が印刷枚数以上であれば、Ｓ３２で設定した印刷枚数分の印刷が可能とるので、印刷枚数分の電力の充電が完了したと判断しＳ３４へ遷移する。また、印刷可能枚数が印刷枚数より小さい場合ば、Ｓ３２で設定した印刷枚数を印刷するだけの十分な電力が充電されていないので、印刷枚数分の充電は完了していないと判断され、Ｓ３３に遷移する。
【００６６】
Ｓ３４ではＳ３２で設定した印刷枚数、つまり、印刷用紙カートリッジ１０９に保管されている印刷用紙枚数分を印刷するだけの十分な電力が充電されたことをユーザに通知する。例えば、表示画面１０１に図６のような表示を行ったり、図示しないＬＥＤランプを点灯させる。充電が完了したことを通とするための音を鳴らすようにしてもよい。
【００６７】
続いて実施例２と同様にユーザの指示に応じて、続けて充電するか充電を完了するかを決定し、それぞれの処理を行うＳ３５〜Ｓ３８に進む。
【００６８】
上記実施例において、印刷枚数を印刷するだけの十分な電力が充電されているか否かを、印刷可能枚数算出部２０５が算出した印刷可能枚数に基づいて判断したが、実施例２のように、他の方法で判断してもよい。
【００６９】
本実施例では、カートリッジに保管されている印刷用紙枚数に応じた電力の充電が完了したら、その旨を伝えるための通知を行うので、ユーザはカートリッジに保管されている印刷用紙枚数を印刷できるだけの充電が完了したことを簡単に知ることができる。プリンタ内で印刷用紙を保管している場合、保管している印刷用紙をすべて印刷できるレベルまで電池を充電すれば十分と考える可能性が高いので、印刷用紙用紙枚数を印刷枚数として設定するのは有効だと考えられる。また、カートリッジに格納された用紙枚数に応じて充電を行うので、実施例２のようにユーザが印刷枚数を設定しなくてもよく、簡単な操作で必要とされる電力の充電をすることが可能である。よって、満充電まで非常に長い時間をかけて充電を行わなくても、ユーザが希望する電力までの充電が終わった時点で、室外に持ち出すことができる。
【００７０】
（実施例４）
第４の実施例について、図１２を参照して説明する。本実施例は、第１の実施例と同じ装置構成であるため、装置構成の説明は省略する。
【００７１】
本実施例は、３つの充電モードを設け、ユーザが選択した充電モードに応じて、充電を行う。充電モードとは満充電モード、印刷枚数設定モード、カートリッジ用紙枚数モードである。それぞれの充電モードについては実施例２、３と同じである。また、図１２において実施例２，３と同じ処理に関しては図１０、図１１と同じ記号を記した。
【００７２】
Ｓ２０・・充電部２１３は、アダプタ２１４からの電力を電池２１２に充電する。
【００７３】
Ｓ４１・・図５のような充電モード選択画面が表示画面１０１に表示され、ユーザは充電モードを決定する。図５では、ユーザは入力ボタン１０６で充電モード５０１、５０２を選択し、５０３に対応する入力ボタン１０３を押して充電モードを決定する。また、５０４に対応する入力ボタン１０５が押されると、充電モードは終了し、通常の満充電モードとなる。
【００７４】
Ｓ４２・・Ｓ４１で決定した充電モードがカートリッジ用紙枚数モードであるかをチェックし、カートリッジ用紙枚数モードの場合は、Ｓ３２に遷移する。
【００７５】
Ｓ４３・・Ｓ４１で決定した充電モードが印刷枚数設定モードであるかをチェックし、印刷枚数設定モードの場合はＳ２２に遷移する。また、Ｓ４１で選択された充電モードがカートリッジ用紙枚数モードでも印刷枚数設定モードでもない場合は、満充電モードとなる。
【００７６】
Ｓ２２、Ｓ２３、Ｓ２４、Ｓ２５、Ｓ２６、Ｓ２７、Ｓ２８の処理については実施例２と同じなので、説明は省略する。
【００７７】
Ｓ３２、Ｓ３３、Ｓ３４の処理については実施例３と同じなので、説明は省略する。
【００７８】
また、各モードの充電中に印刷可能枚数表示の指示があった場合には（Ｓ４４）、電池残量から印刷可能枚数を計算し、表示画面に、図４または図１３のような表示をする（Ｓ４５）。
【００７９】
図１３では、充電状況を１３０１のように棒グラフで表示している。このとき、棒グラフの最大値をＳ２２またはＳ３２で設定した印刷枚数にすると、設定した印刷枚数の対しての相対的な充電状態を表示することができる。そのため、ユーザにとってわかりやすく充電状況を表示できる。また、一定時間ごとに印刷可能枚数算出部が印刷可能枚数を算出し、この充電状況を更新していくので、ユーザは後どのくらいで設定枚数を印刷可能とするだけの電力が充電されるか、おおよその時間を推定できるようになる。また、入力ボタンにより１３０２が選択されると、この表示は消える。よって、表示による電力の消費を防ぐことができる。
【００８０】
＜その他の実施例＞
上記実施例では、充電モードで印刷する場合、ユーザが設定した印刷枚数や、印刷用紙カートリッジに格納されている印刷用紙の枚数に応じて、必要となる電力の充電が行われたことを通知する印刷装置について説明してきた。
【００８１】
本発明の目的は、予め設定されたレベルまでの充電を行う、または、予め設定されたレベルまでの充電が行われたことをユーザに通知することであり、予め設定する充電レベルの設定方法は、上述の実施例に限られない。例えば、記憶媒体に記憶されている印刷ジョブを読み出し、印刷ジョブに記述されている印刷枚数に応じて充電を行う、または、充電が行われたことを通知するという方法も考えられる。
【００８２】
また、設定した印刷枚数を印刷するだけの十分な電力が充電されたことを通知する方法は、上記実施例に限られない。例えば、図示しないＬＥＤランプを点灯させたり、充電が完了したことを通とするための音を鳴らすようにしてもよい。音を鳴らすことで、遠くにいるユーザにも設定枚数までの充電が完了したことを通知することができるので有効であることは言うまでもない。
【００８３】
また、上記の実施例では電池に蓄えられた電力（電池残量）を電池電圧を測定することにより求めたが、他の方法で電池残量を求めてもよい。例えば、電池の流入及び流出電流を測定し、測定した電流から電池残量を求まる方法が考えられる。
【００８４】
以上、本発明をその好適な実施形態に基づいて詳述してきたが、本発明はこれら特定の実施形態に限られるものではなく、この発明の要旨を逸脱しない範囲の様々な形態も本発明に含まれる。
【００８５】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００８６】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００８７】
その場合、プログラムの機能を有していれば、オブジェクトコード、インタプリタにより実行されるプログラム、ＯＳに供給するスクリプトデータ等、プログラムの形態を問わない。
【００８８】
プログラムを供給するための記録媒体としては、例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ等が考えられる。また、光／光磁気記憶媒体、不揮発性の半導体メモリでもよい。
【００８９】
有線／無線通信を用いたプログラムの供給方法としては、次のような方法が考えられる。すなわち、コンピュータネットワーク上のサーバに本発明を形成するコンピュータプログラムそのもの、もしくはプログラムデータファイルを記憶し、接続のあったクライアントコンピュータにプログラムデータファイルをダウンロードするような方法である。
【００９０】
ここで、プログラムデータファイルは、本発明を形成するコンピュータプログラムを圧縮され自動インストール機能を含むファイル等も含む。
【００９１】
この場合、プログラムデータファイルを複数のセグメントファイルに分割し、セグメントファイルを異なるサーバに配置することも可能である。
【００９２】
つまり、本発明の機能処理をコンピュータで実現するためのプログラムデータファイルを複数のユーザに対してダウンロードさせるサーバ装置も本発明に含む。
【００９３】
また、上述の実施形態の機能を実現するプログラムを暗号化し記憶媒体に格納してユーザに配布し、所定の条件を満たしたユーザに対して暗号化を解く鍵情報を、ネットワークを介してダウンロードさせることによって供給するような方法も考えられる。その鍵情報を使用することにより暗号化されたプログラムを実行してコンピュータにインストールさせて本発明を実現することも可能である。
【００９４】
コンピュータが供給されたプログラムコードを実行することにより、上述の実施形態の機能が実現される。また、そのプログラムコードがコンピュータにおいて稼働しているＯＳ（オペレーティングシステム）あるいは他のアプリケーションソフト等の共同して上述の実施形態の機能が実現される場合にもかかるプログラムコードは本発明の実施形態に含まれる。
【００９５】
さらに、供給されたプログラムコードがコンピュータの機能拡張ボードやコンピュータに接続された機能拡張ユニットに備わるメモリに格納される場合にも本発明に含まれる。また、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【図面の簡単な説明】
【００９６】
【図１】本発明の実施の形態に係るプリンタ１００の概観図
【図２】本発明の実施の形態に係るプリンタ１００のブロック図
【図３】電池電圧と印刷枚数の関係グラフ
【図４】印刷可能枚数の表示例
【図５】充電モード選択画面の表示例
【図６】設定枚数充電完了の表示例
【図７】印刷枚数設定画面の表示例
【図８】印刷枚数設定充電モードにおける印刷枚数設定画面の表示例
【図９】第１の実施例に係る充電時のフロー
【図１０】第２の実施例に係る印刷枚数設定充電モード時のフロー
【図１１】第３の実施例に係るカートリッジ用紙枚数充電モード時のフロー
【図１２】第３の実施例に係る充電時のフロー
【図１３】印刷可能枚数の表示例
【符号の説明】
【００９７】
１００  プリンタ
１０１  表示画面
１０２〜１０６  入力ボタン
１０７  接続部
１０８  カードリーダー
１０９  印刷用紙カートリッジ
１１０  電池ユニット
１１１  アダプタ
２０１  制御部
２０２  記憶媒体読み取り部
２０３  記憶媒体
２０４  通信部
２０５  印刷可能枚数算出部
２０６  印刷部
２０７  入力部
２０８  表示部
２０９  電池電圧測定部
２１０  電源部
２１１  電源電圧測定部
２１２  電池部
２１３  充電部
２１４  アダプタ
２１５  印刷用紙枚数検出部
【図１】
2007168237.tif 000003
【図２】
2007168237.tif 000004
【図３】
2007168237.tif 000005
【図４】
2007168237.tif 000006
【図５】
2007168237.tif 000007
【図６】
2007168237.tif 000008
【図７】
2007168237.tif 000009
【図８】
2007168237.tif 000010
【図９】
2007168237.tif 000011
【図１０】
2007168237.tif 000012
【図１１】
2007168237.tif 000013
【図１２】
2007168237.tif 000014
【図１３】
2007168237.tif 000015